(57)【要約】開いた反対端部１２によって、管状の本体１０の前記反対端部１２から延長部分が外向きに突き出しているランプＬを受けるランプソケットＳを、端部１１に隣接して担持している、管状の本体１０を備えるキャビネット用のランプ支持体であって、管状の本体１０の開いた端部１２が、管状の本体１０から外向きに突き出しているランプＬの部分を、横方向および軸方向にある間隔で包囲するような寸法にされた偏向壁２０を、単一部片で、その周縁延長の一部に沿って組み込んでいる、ランプ支持体。
2005521198.tif 000002
【特許請求の範囲】
【請求項１】
開いた反対端部（１２）によって、管状の本体（１０）の前記反対端部（１２）から延長部分が外向きに突き出しているランプ（Ｌ）を受けるランプソケット（Ｓ）を、端部（１１）に隣接して担持している管状の本体（１０）を備えるキャビネット用のランプ支持体であって、管状の本体（１０）の反対端部（１２）が、管状の本体（１０）から外向きに突き出しているランプ（Ｌ）の部分を、横方向および軸方向にある間隔で包囲するような寸法にされた偏向壁（２０）を、単一部片で、その周縁延長の一部に沿って組み込んでいることを特徴とするランプ支持体。
【請求項２】
偏向壁（２０）が、ランプ支持体の軸と平行な母線を有し、管状の本体（１０）から外向きに突き出しているランプ（Ｌ）の部分を横方向および軸方向に包囲している、管状の本体（１０）に組み込まれた内縁部（２２）と、弓型の壁部分（２４）を組み込んでいる外縁部（２３）とを有する半径方向フラップ（２１）を有することを特徴とする請求項１に記載の支持体。
【請求項３】
半径方向フラップ（２１）が、弓型の壁部分（２４）と垂直であることを特徴とする請求項２に記載のランプ支持体。
【請求項４】
弓型の壁部分（２４）が、支持体の管状の本体（１０）の軸と同軸であり、管状の本体（１０）から外向きに突き出しているランプ（Ｌ）の部分の上に突き出していることを特徴とする請求項３に記載のランプ支持体。
【請求項５】
半径方向フラップ（２１）によって、および弓型の壁部分（２４）によって画定された部分のそれぞれが、穴の開いていないことを特徴とする請求項４に記載の支持体。
【請求項６】
偏向壁（２０）が、管状の本体（１０）の反対端部（１２）の周縁部から管状の本体（１０）に単一部片として組み込まれていることを特徴とする請求項５に記載のランプ支持体。
【請求項７】
偏向壁（２０）が、９０°から１８０°の間の角度で円周方向に延びることを特徴とする請求項１に記載のランプ支持体。
【発明の詳細な説明】
【技術分野】
【０００１】
本発明は、特に、冷蔵庫内で使用される白熱灯の、一般にねじによる固定のために、冷蔵庫および冷凍庫のキャビネットの内部で使用されるタイプの、キャビネット用ランプ支持体に関する。
【背景技術】
【０００２】
冷蔵庫および冷凍庫のいくつかの知られている構造は、冷蔵庫および冷凍庫の冷蔵キャビネット内のその上側棚の上方の、一般に前記キャビネットの上側部分に内蔵されたランプ支持体の各ソケット内にねじ付けによって装着された、一般に白熱灯タイプであるランプをその中に有する。
【０００３】
これらの構造では、通電されたランプによって発生させられる熱が冷蔵キャビネット内部の冷蔵下の製品に到達することを回避するために、冷蔵キャビネットは、前記キャビネット内に装着されたランプ支持体に隣接する位置で前記冷蔵キャビネットの横壁および後壁の一方に装着され、通電されたランプによって発生させられた熱および光を再方向付けし、前記ランプの近くに配置された冷蔵キャビネット内部の製品を保護する、熱偏向板の形態の偏向板を一般に備える。
【０００４】
このような解決法は、熱の伝達を最小化するが、冷蔵キャビネット内部の前記偏向板の組立のために追加の要素の提供を必要とするなどのいくつかの欠点を有する。このことは、冷蔵庫または冷凍庫のコストを増加させるほか、ランプ支持体の組立のための一作業と、その次の偏向板の組立のための一作業を必要とするため、冷蔵庫または冷凍庫の組立時間も増加させる。
【０００５】
これらの構造の別の欠点は、使用により、または組立誤差のため、偏向板が一般に偏移または揺動を有し、熱偏向の効率を損なうだけでなく、冷蔵キャビネット内部に前記偏向板を再配置するために使用者に対する維持コストを発生させる。
【発明の開示】
【発明が解決しようとする課題】
【０００６】
したがって、冷蔵キャビネットの内壁に装着された偏向板を設けることをなくし、冷蔵キャビネットの前記支持体の組立のための時間を低減させ、冷蔵庫または冷凍庫の使用寿命中その機能的な品質を維持し、冷蔵下の製品を電圧印加されたランプによって発生させられる熱から保護し、冷蔵キャビネットの内部でのその組立状態を変わらずに保持する、低コストのキャビネット用ランプ支持体を提供することが本発明の目的である。
【課題を解決するための手段】
【０００７】
この、およびその他の目的は、開いた反対端部によって、管状の本体の前記反対端部から延長部分が外向きに突き出しているランプを受けるランプソケットを、一方の端部に隣接して担持している管状の本体を備えるキャビネット用のランプ支持体であって、管状の本体の反対端部が、単一部片で、およびその周縁延長の一部に沿って、偏向壁を組み込んでおり、該偏向壁が、管状の本体から外向きに突き出しているランプの部分を、横方向および軸方向にある間隔で包囲するような寸法にされた、キャビネット用のランプ支持体を通じて達成される。
【０００８】
本発明は、ランプ支持体を単一部片として提供することによって、通電されたランプによって発生させられる熱の十分な偏向を得ることを可能にする。単一部片として提供されることによって、本解決法は、この改良された組立状態が冷蔵庫の使用寿命中に維持されることを保証して、冷蔵庫または冷凍庫の照明アセンブリの品質を改良するという利点を有する。組立状態のこのような維持は、冷蔵庫キャビネット内での熱偏向状態と照明品質の両方の維持という結果となり、冷蔵下の製品を、ランプによって発生させられた熱に曝露されることから回避する。本発明のランプ支持体は、冷蔵庫キャビネット内でのその組立のための時間を減少させ、その結果この作業のコストを減少させることをさらに可能にする。
【０００９】
本発明を、同封の図面を参照にして以下で説明する。
【発明を実施するための最良の形態】
【００１０】
図面によると、本発明のキャビネット用ランプ支持体は、端部１１に対して半径方向に拡大された寸法をほぼ有する開いた反対端部１２によって、管状の本体の前記反対端部１２から延長部分が外向きに突き出しているランプＬを受けるために、ランプソケットＳを端部１１に隣接して内側に担持している、たとえば実質上円筒形の形状を有する管状の本体１０を備え、前記ランプＬは、ランプソケットの内部へのねじ付けによって一般的に固定されている。
【００１１】
図示した構造では、管状の本体１０の端部１１から、管状の本体１０の外側に、ランプソケットの接点部分と内部で電気的接触状態にある１対の電気接点端子１３が突き出している。
【００１２】
本発明によると、管状の本体１０の反対端部１２は、単一部片で、およびたとえば管状の本体１０の反対端部１２の周縁からその周縁延長の一部に沿って、偏向壁２０を組み込んでいる。偏向壁は、管状の本体１０から外向きに突き出しているランプＬの部分を横方向および軸方向にある間隔で包囲するような寸法であり、前記偏向壁は、たとえば９０°から１８０°の間の角度で円周方向に延び、より具体的には約１２０°の角度で円周方向に延びる。
【００１３】
本発明の構造オプションは、偏向壁２０が、管状の本体１０に組み込まれた内縁部２２と、弓型の壁部分２４を組み込んでいる外縁部２３を有する半径方向フラップ２１を有し、本ランプ支持体の軸に対して平行な母線を有し、管状の本体１０から外向きに突き出しているランプＬの部分を横方向および軸方向に包囲している。
【００１４】
同封の図面の図示によると、半径方向フラップ２１は、管状の本体１０の軸と同軸でありランプＬの軸方向延長部の上に突き出している弓型の壁部分２４と垂直であり、したがって管状の本体１０から外向きに突き出しているその部分は、前記弓型の壁部分２４の自由端縁部２５に対して後方に間隔を空けている。
【００１５】
好ましい構造オプションでは、半径方向フラップ２１および弓型の壁部分２４によって画定された部分のそれぞれは、穴の開いていない材料製であり、各部分に対して連続した本体を画定している。
【図面の簡単な説明】
【００１６】
【図１】本発明に従って製造されたランプ支持体を示す横方向概略図である。
【図２】図１に図示したものに対して９０°の角度でずらした、図１に従って製造されたランプ支持体を示す横方向概略図である。
【図３】本発明のランプ支持体を示す概略透視図である。
【図４】本発明のランプ支持体を示す前面概略図である。
【図１】
2005521198.tif 000003
【図２】
2005521198.tif 000004
【図３】
2005521198.tif 000005
【図４】
2005521198.tif 000006
【手続補正書】
【提出日】平成16年6月2日(2004.6.2)
【手続補正１】
【補正対象書類名】特許請求の範囲
【補正対象項目名】全文
【補正方法】変更
【補正の内容】
【特許請求の範囲】
【請求項１】
端部（１１）に対して半径方向に拡大された寸法を有する開いた反対端部（１２）によって、管状の本体（１０）の前記反対端部（１２）から延長部分が外向きに突き出しているランプ（Ｌ）を受けるランプソケット（Ｓ）を、端部（１１）に隣接して担持している管状の本体（１０）を備えるキャビネット用のランプ支持体であって、管状の本体（１０）の反対端部（１２）が、管状の本体（１０）から外向きに突き出しているランプ（Ｌ）の部分を、横方向および軸方向にある間隔で包囲するような寸法にされた偏向壁（２０）を、単一部片で、その周縁延長の一部からそれに沿って組み込んでいることを特徴とするランプ支持体。
【請求項２】
偏向壁（２０）が、ランプ支持体の軸と平行な母線を有し、管状の本体（１０）から外向きに突き出しているランプ（Ｌ）の部分を横方向および軸方向に包囲している、管状の本体（１０）に組み込まれた内縁部（２２）と、弓型の壁部分（２４）を組み込んでいる外縁部（２３）とを有する半径方向フラップ（２１）を有することを特徴とする請求項１に記載の支持体。
【請求項３】
半径方向フラップ（２１）が、弓型の壁部分（２４）と垂直であることを特徴とする請求項２に記載のランプ支持体。
【請求項４】
弓型の壁部分（２４）が、支持体の管状の本体（１０）の軸と同軸であり、管状の本体（１０）から外向きに突き出しているランプ（Ｌ）の部分の上に突き出していることを特徴とする請求項３に記載のランプ支持体。
【請求項５】
半径方向フラップ（２１）によって、および弓型の壁部分（２４）によって画定された部分のそれぞれが、穴の開いていないことを特徴とする請求項４に記載の支持体。
【請求項６】
偏向壁（２０）が、管状の本体（１０）の反対端部（１２）の周縁部から管状の本体（１０）に単一部片として組み込まれていることを特徴とする請求項５に記載のランプ支持体。
【請求項７】
偏向壁（２０）が、９０°から１８０°の間の角度で円周方向に延びることを特徴とする請求項１に記載のランプ支持体。
【国際調査報告】
2005521198.tif 000007
2005521198.tif 000008
2005521198.tif 000009